(57)【要約】【課題】塗装ブースの均圧室内において、カビ菌の増殖を抑止する均圧材を提供すること。【課題を解決するための手段】加湿器３４から送風ダクト４を介して加湿空気が均圧室３内へ供給される。均圧室３は、塗装兼乾燥室２との間に送風面８を有している。送風ダクト４の送風断面積は、送風面８の面積よりも小さい。送風面８は、送風ダクト４を介して均圧室３に供給された加湿空気の圧力を低減させる均圧材９により覆われており、均圧材９は、均圧室３側の面に防カビ剤が塗布されている。【選択図】図１
2020173078.tif 000002
【特許請求の範囲】
【請求項１】
塗装兼乾燥室内へ加湿空気が吹き出される均圧室の送風面を覆い、前記送風面よりも小さい送風断面積の送風ダクトを介して前記均圧室に供給された加湿器からの加湿空気の圧力を低減させる均圧材であって、
前記均圧材は、前記均圧室側の面に防カビ剤が塗布されていることを特徴とする均圧材。
【請求項２】
請求項１の均圧材において、さらに、抗菌剤、抗ウイルス剤、抗アレルゲン剤のいずれかの剤もしくは、２つ以上の剤が塗布されていることを特徴とする均圧材。
【請求項３】
請求項１の均圧材において、さらに、粘着剤が塗布されていることを特徴とする均圧材。
【請求項４】
請求項１又は請求項２の均圧材を備えた塗装ブース。
【発明の詳細な説明】
【技術分野】
【０００１】
本発明は、調製された環境において被塗装物の塗装を行う塗装ブース内に均一な空気流を発生させる均圧材およびこれを備えた塗装ブースに関する。
【背景技術】
【０００２】
有機溶剤中毒予防規則によれば、有機溶剤による塗装を行う際には、局所排気装置又はプッシュプル型換気装置を設けなければならない。上下流換気方式による換気状態は、ブースの床面積を１６分割以上にし、各中心の床上１．５ｍで平均風速０．２ｍ／秒以上かつ各測定場所の上限が１．５倍以下、下限が０．５倍以上に入っていることが要求されている。
【０００３】
このような塗装ブースとして、強制給気方式と強制排気方式により形成させる下向気流により塗装空間内を一様流に換気するようにした上下式プッシュプル換気を行う塗装ブースが、例えば特許文献１及び２に開示されている。この塗装ブースでは、天井上の空間に、均圧室が設けられており、均圧室と塗装空間内を隔てる送風面に不織布からなる均圧材が一面に配置されている。均圧室に一旦導入された空気は、均圧材による圧力抵抗を受けて均圧室内の空間に充満し、均圧材を介して送風面から塗装空間内に導入されるようになっている。送風面の面積と送風ダクトの送風断面積は、送風面の方が大きく、送風ダクトの方が小さい。この作用により、被塗装物の平面視大きさよりも広い天井面部分の略全域から塗装空間内に空気が流入され、被塗装物の平面視大きさよりも広い床面部分の略全域から一様にかつ、どの位置においても最小限の流量と流速が確保された状態で塗装空間内の気体が流れようになっている。
【０００４】
また、塗装空間内における静電気発生の防止や、水性塗料に対する乾燥調製をするために、吸気された空気を加湿して塗装ブース内の湿度を管理する技術も知られている。例えば特許文献３では、既設の塗装ブースに対して加湿機能を加える技術が開示されている。
【先行技術文献】
【特許文献】
【０００５】
【特許文献１】特開２００６−０１５１９１号公報
【特許文献２】実用新案登録第３１０８４４０号公報
【特許文献３】特開２０１２−００５４３号公報
【発明の開示】
【発明が解決しようとする課題】
【０００６】
塗装ブースへ空気を送り込む側に設けられる気化式加湿器や蒸気式加湿器等の加湿器によれば、使用する水分の１００％が空気に付与される。このような加湿空気が、ダクトを介して塗装ブースに導入される。出願人の調査によれば、塗装ブースの加湿においては、加湿に使った水分の８５％が空気に付与されているのが平均的であり、残りは水滴となって空気には付与されていないことが判明した。均圧室に導入された加湿された空気は、送風断面積の狭いダクトから均圧室へ導入されるときに、均圧室内で一部の水分が均圧室内に凝結及び結露していると考えられる。水滴となった多くの水分は均圧材に残留し、他は均圧室等の内壁面に付着するのである。
【０００７】
加湿器にはその前段において設置されたフィルタにより細菌、カビ菌の類は濾過された空気が導入されているため、均圧室内における結露に対しては、細菌、カビ菌に対するなんら対策がされていないのが実情である。また、均圧材は、常に振動に晒されており、均圧材に着床した細菌、カビ菌が増殖したときには、均圧室内において飛び散る、又は、均圧材を通して塗装兼乾燥室内に漏れ出る可能性がある。
【０００８】
本発明は上記課題に鑑みてなされたものであり、その目的は塗装ブースの均圧室内において、カビ菌の増殖を抑止する均圧材を提供することにある。
【課題を解決するための手段】
【０００９】
上記課題を解決するため、本発明は、塗装兼乾燥室内へ加湿空気が吹き出される均圧室の送風面を覆い、前記送風面よりも小さい送風断面積の送風ダクトを介して前記均圧室に供給された加湿器からの加湿空気の圧力を低減させる均圧材であって、
前記均圧材は、前記均圧室側の面に防カビ剤が塗布されていることを特徴とする。
【発明の効果】
【００１０】
本発明の均圧剤によれば、均圧室内に送り込まれた加湿空気から脱落した水分が送風面に結露したとしても、抗カビ剤が塗布されているので、カビの増殖を防ぐことが出来る。また、粘着剤を塗布することにより、均圧材の振動によってカビが均圧室内に飛散することを抑制することができる。
【図面の簡単な説明】
【００１１】
【図１】塗装ブースを示す図であり、図１Ａは全体を示し、図１Ｂは均圧室３の天板を取り除いた状態であり、図１Ｃは正面概念図である。
【図２】均圧材の作成を示す図である。
【発明を実施するための形態】
【００１２】
図１を用いて塗装ブース１を説明する。図１Ａは全体を示し、図１Ｂは均圧室３の天板を取り除いた状態であり、図１Ｃは正面概念図である。
塗装ブース１は、塗装作業及び乾燥作業の目的に兼用することができる塗装兼乾燥室２、塗装兼乾燥室２の上に設けられた均圧室３と、均圧室３に連通した送風ダクト４と、均圧室３の床下に設けられたピット６とを有している。塗装兼乾燥室２は、壁面又は扉等により四方が包囲されている。塗装兼乾燥室２と均圧室３とを仕切る送風面８は、棒材を縦横に組んだ金属格子で形成されている。送風面８よりも、送風ダクト４の送風断面積は小さい。塗装兼乾燥室２とピット６とを仕切る排気面１０も、棒材を縦横に組んだ金属格子により形成されている。送風面８および排気面１０は、空気が自由に通過できる。
【００１３】
塗装兼乾燥室２は、送風面８と床の排気面１０とを対面させた直方体状の空間を内部に有しており、その空間内において塗装および乾燥作業を行うことができる。送風面８の形状、或いは排気面１０の形状は、少なくとも被塗装物を送風面８或いは排気面１０に投影した際の投影形状よりも大きい。
【００１４】
送風ダクト４には、給気昇熱加湿ユニット３０から空気が送られている。給気昇熱加湿ユニット３０は、塗装兼乾燥室２の室外に存在する新鮮な空気を取り入れる側から、フィルタ３１、送風ファン３２、燃焼バーナにより昇熱する熱風発生器３３、加湿器３４を有している。フィルタ３１には、抗菌、抗カビ処理がされているフィルタを用いることが望ましい。
【００１５】
均圧室３と塗装兼乾燥室２との間に位置する送風面８は、被塗装物を投影したときの投影形状よりも大きな囲を覆っている。均圧室３は、送風ダクト４よりも空気の流れの断面を大きくする空間を提供するもので、送風面８に空気を案内する。送風面８には、送風面８の範囲いっぱいを覆うように、均圧材９が搭載されている。均圧材９は、塗装兼乾燥室２に乱流のない均一な空気の流れを形成する。
【００１６】
塗装兼乾燥室２の床下のピット６は、塗装兼乾燥室２からの汚染された空気を受けて排気ダクト７へ導く。排気ダクト７は、排気ユニット４０に接続されている。排気ユニット４０は、排気フィルタ４１、排気ファン４２が組み込まれ、外気へ排気するようになっている。
【００１７】
図２を用いて、均圧材９を説明する。均圧材９は、２ｃｍ程度の難燃性不織布を積層し、難燃性不織布側に防カビ剤２０が一方の面にスプレー法により塗布されている。防カビ剤２０に加えて、粘着剤２１も併せて使用する法が望ましい。スプレー塗布した面が上側（均圧室３側）に向くように送風面８に搭載される。難燃性不織布の基台として、スプレー塗布されていない側にポリエステル織物によるシートを設けても良い。
【００１８】
防カビ剤としては、公知の防カビ剤を用いることができる。防カビ剤は，有機系、無機系、有機/無機ハイブリッド剤及び天然系が存在する。無機系抗菌剤としては、銀系抗菌剤が中心で，金属イオン担持、とくに銀イオンまたは金イオンキレート（錯体）が用いられている。有機系抗菌剤としては、アルコール系、フェノール系、エステル・エーテル系、イミダゾール系、チアゾール系、トリアジン系、ピリジン系、有機金属化合物系などがある。イミダゾール系では、 ２−（４−チアゾリル）ベンゾイミダゾール（チアベンダゾール）、メチル−2−ペンスイミダゾールカーバメート（カルペンダジン）など、チアゾール系では、１．２−ベンゾイソチアゾリンー３−オン（ＢＩＴ）、２−ｎ−オクチル−４−イソチアゾリン−３−オン（ＯＩＴ）など、ピリジン系では、ビス（２−ピリジルチオ−１−オキシド）亜鉛（ジンクピリチオン）などである。また、天然系抗菌剤としては、動物系由来の天然系抗菌剤としては，キチン・キトサンが代表的で, タンパク質系のプロタミン（白子タンパク）、プロポリス（フラボノイド化合物）、リゾチーム、ラクトフェリンなどである。また、植物由来では、ヒノキオイル（ヒバ油，アロエエキス，ヨモギェキス、ドクダミ、お茶（ポリフェノール）、ワサビ、カラシ抽出物，竹抽出油などがあり、その中ではヒノキオイルとワサビ、カラシ抽出油（アリルイソチオシアネート）がある。これらの防カビ剤は単独で用いても２種以上を併用しても良い。
【００１９】
粘着剤としては、アクリル系、ウレタン系、シリコーン系いずれでも良いが、コストを考慮したときには主剤及び硬化剤を含む２液混合型ポリウレタン系粘着剤が望ましい。
【００２０】
均圧材９は、一定の圧力損失（例えば、４５〜４００Ｐａ）を有するものであり、これに用いる不織布の素材としては、例えば、ポリアミド系繊維、ポリエステル系繊維、ポリアルキレンパラオキシベンゾエート系繊維、ポリウレタン系繊維、ポリビニルアルコール系繊維、ポリ塩化ビニリデン系繊維、ポリ塩化ビニル系繊維、ポリアクリロニトリル系繊維、ポリオレフィン系繊維、フェノール系繊維、レーヨン繊維などの合成繊維、木材パルプ、麻パルプ、コットンリンターパルプなどの天然繊維、再生繊維、或いは、これらのブレンド繊維、或いは、これらの繊維に親水性や難燃性などの機能を付与した繊維などを用いることができる。
【００２１】
均圧材９には、防カビ剤に加えて、抗菌剤、抗ウイルス剤、抗アルゲン剤のいずれかの剤、もしくは複数の剤を塗布しても良い。
【００２２】
抗菌剤としては、公知の抗菌剤を用いることができ、例えば、銀系化合物、亜鉛系化合物、アルコール系化合物、フェノール系化合物、第４級アンモニウム塩、安息香酸類、クロルヘキシジン、ソルビン酸類などを挙げることができる。
【００２３】
抗ウイルス性としては、例えば、ポリフェノール化合物、第４級アンモニウム塩、無機銅化合物、無機銀化合物、亜鉛、鉄などの原子を含む無機化合物、銅、銀、亜鉛、鉄などの原子を含む有機化合物、白金、ヨウ素化合物、ピリジン系化合物、エステル系化合物、スルファミド系化合物などを挙げることができる。
【００２４】
抗アレルゲン剤とは、空気中のアレルゲン（アレルギーを起こすタンパク質物質）を吸収及び変化させてアレルゲン活性を低減させる物質である。例えば、有機酸、例えばクエン酸、リンゴ酸、酒石酸、安息香酸、乳酸、グルコン酸、アスコルビン酸、没食子酸、アルコン酸、マレイン酸、キレート化剤、例えばエチレンアミン四酢酸（ＥＤＴＡ）４ナトリウム、又はこれらの組み合わせを挙げることが出来る。
【００２５】
本実施例の均圧材９によれば、均圧室３内に送り込まれた加湿空気から脱落した水分が送風面８に結露したとしても、抗カビ剤が塗布されているので、カビの増殖を防ぐことが出来る。また、粘着剤が塗布されているので、均圧材９の振動によってカビが均圧室３内に飛散することを抑制することができる。また、均圧材９に、防カビ剤に加えて、抗菌剤、抗ウイルス剤、抗アルゲン剤のいずれかの剤、もしくは複数の剤を塗布しておくことにより、塗装兼乾燥室内の雰囲気を清浄に保つことが出来る。塗装ブースは、１日約４時間以上作業者が塗装作業を行うものであり、この環境を整えることによりカビ等による人体への影響を低減することができる。
【００２６】
上記実施例においては、塗装兼乾燥室内に対して天井から床に向けて加湿空気が流れる塗装ブースを示したが、水平方向に加湿空気が流れる塗装ブースに対しても本実施例の均圧材９を適用することが出来る。
【符号の説明】
【００２７】
１     塗装ブース
２     塗装兼乾燥室
３     均圧室
４     送風ダクト
６     ピット
７     排気ダクト
８     送風面
９     均圧材
１０     排気面
２０     抗カビ剤
２１     粘着剤
３０     給気昇熱加湿ユニット
３１     フィルタ
３２     送風ファン
３３     熱風発生器
３４     加湿器
４０     排気ユニット
４１     排気フィルタ
４２     排気ファン
【図１】
2020173078.tif 000003
【図２】
2020173078.tif 000004